(57)【要約】【課題】メモリカードを装着することでそのメモリカードと仕様が異なる他のメモリカード用のカードスロットに装着して使用することができるカードトレイを提供する。【解決手段】カードトレイ３００は、本体５０と、装着用凹部５２とを有している。装着用凹部５２は、本体５０の厚さ方向の一方の面に、第２のメモリカード２００の保持体３００が装着可能に形成されている。装着用凹部５２に第２のメモリカード２００が装着されることでメモリカード装着体４００が構成される。前後左右の辺を合致させて第１のメモリカード１００とメモリカード装着体４００とを重ね合わせ平面視すると、第１のメモリカード１００の接片２´乃至接片９´と第２のメモリカード２００の接片４２乃至接片４９は、前後方向において重複した部分を有し、かつ、左右方向において重複した部分を有するように構成されている。【選択図】        図１３
2007034612.tif 000002
【特許請求の範囲】
【請求項１】
厚さよりも大きな寸法の前後長さおよび左右幅を有する矩形板状を呈する保持体に記憶部が埋設され前記保持体の表面に該保持体の左右方向に沿って複数の接片が並設された第１のメモリカードに対して、厚さおよび左右幅が前記第１のメモリカードの保持体よりも小さい矩形板状を呈する保持体に記憶部が埋設され前記保持体の表面に該保持体の左右幅方向に沿って複数の接片が前記第１のメモリカードの前記接片と同一のピッチで並設された第２のメモリカードが設けられ、前記第２のメモリカードに装着されるトレイであって、
前記トレイは、薄板状の本体と、前記本体の厚さ方向の一方の面に開放状に形成され前記第２のメモリカードの保持体が装着される装着用凹部とを有し、
前記第２のメモリカードが前記表面を前記装着用凹部と反対方向に向けて前記装着用凹部に装着されることでメモリカード装着体が構成され、
前記メモリカード装着体の厚さおよび左右幅は、前記第１のメモリカードの厚さおよび左右幅と同じ寸法で形成されている、
ことを特徴とするカードトレイ。
【請求項２】
前記第１のメモリカードと前記メモリカード装着体はそれぞれ互いに対向する前辺、後辺および左辺、右辺を有し、それら前辺と後辺の一方を合致させ、かつ、それら左辺、右辺を合致させて前記第１のメモリカードと前記メモリカード装着体とを重ね合わせ平面視すると、前記第１のメモリカードの複数の接片と前記第２のメモリカードの複数の接片は、それぞれ前後方向および左右方向において重複した部分を有していることを特徴とする請求項１記載のカードトレイ。
【請求項３】
前記カードトレイの本体は、それぞれ互いに対向する前辺、後辺および左辺、右辺を有して矩形板状に形成され、前記装着用凹部は、前記本体の後辺、左辺、右辺に沿って延在する後壁、左壁、右壁と、それら後壁、左壁、右壁で囲まれた底壁とで前辺方向に開放状に形成されていることを特徴とする請求項１記載のカードトレイ。
【請求項４】
前記カードトレイの本体は、それぞれ互いに対向する前辺、後辺および左辺、右辺を有して矩形板状に形成され、前記装着用凹部は、前記本体の後辺、左辺、右辺に沿って延在する後壁、左壁、右壁と、それら後壁、左壁、右壁で囲まれた底壁とで前辺方向に開放状に形成され、前記後壁に前記底壁上で左右幅方向に沿って延在する開口が形成され、前記第２のメモリカードの保持体はそれぞれ互いに対向する前辺、後辺および左辺、右辺を有し、前記メモリカード装着体は、前記第２のメモリカードの保持体の前辺が前記開口に挿入されて構成されていることを特徴とする請求項１記載のカードトレイ。
【請求項５】
前記カードトレイの本体は、それぞれ互いに対向する前辺、後辺および左辺、右辺を有して矩形板状に形成され、前記装着用凹部は、前記本体の後辺、左辺、右辺に沿って延在する後壁、左壁、右壁と、それら後壁、左壁、右壁で囲まれた底壁とで前辺方向に開放状に形成され、前記後壁に前記底壁上で左右幅方向に沿って延在する開口が形成され、前記左壁または前記右壁の一方で前記底壁に臨む箇所に係合部が形成され、前記第２のメモリカードの保持体はそれぞれ互いに対向する前辺、後辺および左辺、右辺を有し、前記左辺または前記右辺の一方に前記係合部に係合可能な係合部が形成され、前記メモリカード装着体は、前記第２のメモリカードの保持体の前辺が前記開口に挿入され、前記左壁の前記係合部と前記左辺または前記右辺の係合部とが係合されて構成されていることを特徴とする請求項１記載のカードトレイ。
【請求項６】
前記カードトレイの本体は、それぞれ互いに対向する前辺、後辺および左辺、右辺を有して矩形板状に形成され、前記装着用凹部は、前記本体の後辺、左辺、右辺に沿って延在する後壁、左壁、右壁と、それら後壁、左壁、右壁で囲まれた底壁とで前辺方向に開放状に形成され、前記左壁または右壁の少なくとも一方には、前記メモリカード装着体であることを識別するための識別用凹部が形成されていることを特徴とする請求項１記載のカードトレイ。
【請求項７】
前記第１のメモリカードと前記カードトレイとを重ね合わせ平面視すると、前記第１のメモリカードの輪郭と前記カードトレイの輪郭は合致するように形成されていることを特徴とする請求項１記載のカードトレイ。
【請求項８】
前記第２のメモリカードの前記保持体は、前記第１のメモリカードの前記保持体の前後長さよりも小さい前後長さで形成されていることを特徴とする請求項１記載のカードトレイ。
【請求項９】
前記第１のメモリカードの前記保持体の前記前後長さと前記左右幅の積である投影面積に対する前記第２のメモリカードの前記保持体の前記前後長さと前記左右幅の積である投影面積の比率が７０％以上９５％以下であることを特徴とする請求項１記載のカードトレイ。
【発明の詳細な説明】
【技術分野】
【０００１】
本発明はメモリカードが装着されるカードトレイに関する。
【背景技術】
【０００２】
データの書き換えが可能なフラッシュメモリを有し、このフラッシュメモリにデータを書き込みおよび読み出すメモリカードが提供されている。
このようなメモリカードは、外部装置、例えばパーソナルコンピュータや携帯電話機のカードスロット（コネクタ）に装着されてデータの書き込みおよび読み出しを行うものである。
現在、このようなメモリカードとして、例えば、メモリスティック（ソニー株式会社の登録商標）、マルチメディアカード（ＭＭＣ：Ｍｕｌｔｉ  Ｍｅｄｉａ  Ｃａｒｄ、Ｉｎｆｉｎｅｏｎ  Ｔｅｃｈｎｏｌｏｇｉｅｓ  ＡＧの登録商標）、ＳＤカード（松下電器株式会社、株式会社東芝、サンディスク株式会社の登録商標）などが用いられている。
ところで、上述した既存のメモリカードは、互いに仕様が相違しており、すなわち、外形寸法や外形形状、および、外部装置との間で行われるデータ通信のインターフェース、すなわち、データ通信を行うための信号の種類や数などの規格、および、データ通信の手順などが相違している。
したがって、種類が異なるメモリカードを同一のメモリカード用のカードスロットに装着して使用することはできない。
そのため、仕様が異なる第１、第２のメモリカードがあった場合、例えば、第１のメモリカード用のカードスロットに対して第２のメモリカードを装着する際には、第２のメモリカードの仕様を第１のメモリカードの仕様に変換するメモリカードアダプタが用いられる（特許文献１参照）。
すなわち、第２のメモリカードをメモリカードアダプタに装着することで、第２のメモリカードをメモリカードアダプタを介して第１のメモリカード用のカードスロットに装着することができる。
【特許文献１】特開２００４-２６５６２１号公報
【発明の開示】
【発明が解決しようとする課題】
【０００３】
ところで、このようなメモリカードアダプタは、第２のメモリカードの信号入出力用接片とカードスロットの端子とを電気的に接続するための構成として、第２のメモリカードの信号入出力用接片に電気的に接続される第１のアダプタ側接片と、カードスロットの端子に電気的に接続される第２のアダプタ側接片と、これら第１のアダプタ側接片と第２のアダプタ側接片を電気的に接続する導通部材とが必要となる。
したがって、メモリカードアダプタは、これらの接片や導通部材を配置するためのスペースが必要となる。
ところが、近年、上述した既存のメモリカードよりも外形寸法の縮小化が図られた小型のメモリカードが複数種類提案されている。
このような小型のメモリカードとしては、例えば、ＳＤカードと電気的仕様がほぼ同一のＴｒａｎｓＦｌａｓｈ（サンディスク株式会社の登録商標）などがある。
このような小型のメモリカードに対応したメモリカードアダプタは、当然その外形が小型化されたものとなる。
そのため、このような小型化されたメモリカードに装着されるメモリカードアダプタは、上述した接片や導通部材を配置するためのスペースを確保し難く、メモリカードアダプタを製作する上で不利があった。
本発明の目的は、メモリカードが小型化された場合であっても、メモリカードに装着することでそのメモリカードと仕様が異なる他のメモリカード用のカードスロットに装着して使用することができるカードトレイを提供することにある。
【課題を解決するための手段】
【０００４】
上述の目的を達成するため、本発明は、厚さよりも大きな寸法の前後長さおよび左右幅を有する矩形板状を呈する保持体に記憶部が埋設され前記保持体の表面に該保持体の左右方向に沿って複数の接片が並設された第１のメモリカードに対して、厚さおよび左右幅が前記第１のメモリカードの保持体よりも小さい矩形板状を呈する保持体に記憶部が埋設され前記保持体の表面に該保持体の左右幅方向に沿って複数の接片が前記第１のメモリカードの前記接片と同一のピッチで並設された第２のメモリカードが設けられ、前記第２のメモリカードに装着されるトレイであって、前記トレイは、薄板状の本体と、前記本体の厚さ方向の一方の面に開放状に形成され前記第２のメモリカードの保持体が装着される装着用凹部とを有し、前記第２のメモリカードが前記表面を前記装着用凹部と反対方向に向けて前記装着用凹部に装着されることでメモリカード装着体が構成され、前記メモリカード装着体の厚さおよび左右幅は、前記第１のメモリカードの厚さおよび左右幅と同じ寸法で形成されていることを特徴とする。
【発明の効果】
【０００５】
本発明によれば、メモリカード装着体を第１のメモリカード用のカードスロットに挿入すると、カードスロットの端子が第２のメモリカードの接片に直接電気的に接続される。
したがって、カードトレイは、従来のカードアダプタと違ってアダプタ側接片や導通部材を必要としないため、カードトレイの外形寸法を、小型化された第１のメモリカードの外形寸法に合致させることが簡単にでき、第２のメモリカードをカードトレイに装着し、メモリカード装着体を構成することで第１のメモリカード用のカードスロットに装着して使用することができる。
【発明を実施するための最良の形態】
【０００６】
（第１の実施の形態）
次に本発明の第１の実施の形態について図面を参照して説明する。
図１は第１のメモリカード１００の斜視図である。
図２（Ａ）は第１のメモリカード１００の平面図、（Ｂ）は第１のメモリカード１００の断面図である。
図３（Ａ）は第１のメモリカード１００の接片と信号名の対応を示す図である。
【０００７】
なお、本明細書においては第１、第２のメモリカード１００、２００の前後は、それらメモリカード１００、２００をカードスロットに挿入する方向を前方、カードスロットから取り出す方向を後方という。
また、第１、第２のメモリカード１００、２００の左右は、それらメモリカード１００、２００を後方から見た状態でいうものとする。
また、後述するカードトレイ３００についても前後左右は同様である。
まず、互いに仕様が異なる第１のメモリカード１００（図１参照）と第２のメモリカード２００（図４参照）の２つのメモリカードについて説明を行う。
本実施の形態では、第１のメモリカード１００は、メモリスティック（ソニー株式会社の登録商標）とインターフェースにまつわる仕様がほぼ同等であるが外形寸法が小型化されたメモリカードである。
第２のメモリカード２００は、ＳＤカード（松下電器株式会社、株式会社東芝、サンディスク株式会社の登録商標）とインターフェースにまつわる仕様がほぼ同一であるが外形寸法が小型化されたＴｒａｎｓＦｌａｓｈ（サンディスク株式会社の登録商標）である。
第２のメモリカード２００は、厚さおよび左右幅が第１のメモリカード１００よりも小さい寸法で形成され、前後長さは第１のメモリカード１００と同一の寸法で形成されている。
【０００８】
図２に示すように、第１のメモリカード１００は、保持体２０と、保持体２０に埋設された記憶部２２と、保持体２０に埋設されたコントローラ２４と、コントローラ２４に接続された複数の接片１乃至接片１１および接片２´乃至接片１０´とを備えている。
保持体２０は、プリント基板２１と、プリント基板２１を被覆する合成樹脂により薄板状に形成されている。
保持体２０は、前後長さと、前後長さよりも小さい寸法の左右幅と、左右幅よりも小さい寸法の厚さを有して矩形板状に形成され、本実施の形態では、保持体２０は、前後長さが１５ｍｍ、左右幅が１２ｍｍ、厚さが１．２ｍｍの大きさである。
プリント基板２１の厚さ方向の両面を覆う絶縁性を有する合成樹脂としては、例えば、ＰＣ（ポリカーボネート）や液晶ポリマーなどを用いることができる。
なお、図２などでは、記憶部２２およびコントローラ２４は、説明をわかりやすくするために分離して描かれているが、これら記憶部２２およびコントローラ２４の構成として、例えば、積層構造とするなど従来公知の様々な構造が採用可能である。
【０００９】
記憶部２２と、コントローラ２４と、複数の接片１乃至接片１１および接片２´乃至接片１０´は、プリント基板２１に設けられている。
記憶部２２は、データの書き換えが可能なフラッシュメモリで構成されている。
コントローラ２４は、外部装置とのデータ通信および記憶部２２に対するデータの入出力動作の制御などを司るものである。
コントローラ２４は、第１のメモリカード１００が外部装置に装着された状態でこの外部装置との間で第１のメモリカード１００用のインターフェースに基づいてデータ通信を行う。所定のインターフェースとは、データ通信を行うための信号の種類や数などの規格、および、データ通信の手順などを含むものである。
記憶部２２、コントローラ２４と、接片１乃至接片１１および接片２´乃至接片１０´とは、プリント基板２１の反対の面にそれぞれ取着されている。
【００１０】
図２（Ａ）に示すように、接片１乃至接片１１および接片２´乃至接片１０´は保持体２０の長さ方向の両端における各表面の箇所に、該保持体２０の左右幅方向に沿って並設されている。詳細には、接片１乃至接片１１は、表面の前辺２００２に沿って直線状に並設され、接片２´乃至接片１０´は表面の後辺２００４に沿って直線状に並設されている。
接片１乃至接片１１は、同一のピッチＰ１で配置されている。
接片２´乃至接片１０´はピッチＰ１よりも大きい寸法の同一のピッチＰ２で配置されている。
接片１乃至接片１１および接片２´乃至接片１０´とコントローラ２４とはプリント基板２１に形成された導電パターンによって接続されているが、図面の繁雑化を避けるため図２では前記導電パターンの図示を省略している。
【００１１】
複数の複数の接片１乃至接片１１および接片２´乃至接片１０´は、コントローラ２４に対して信号の授受を行う信号端子と、コントローラ２４および記憶部２２に対してグランド電位を供給するためのグランド端子と、コントローラ２４および記憶部２２に対して電源を供給するための電源端子を含んでいる。
図３（Ａ）に示すように、接片１はデータ信号ＤＡＴＡ０〜ＤＡＴＡ３で通信されるデータの区切りを示すバスステート信号ＢＳが入力される信号端子である。
接片２はデータ信号ＤＡＴＡ１の入出力を行う信号端子、接片３はデータ信号ＤＡＴＡ０の入出力を行う信号端子、接片４はデータ信号ＤＡＴＡ２の入出力を行う信号端子、接片６はデータ信号ＤＡＴＡ３の入出力を行う信号端子である。
接片３´はデータ信号ＤＡＴＡ５の入出力を行う信号端子、接片４´はデータ信号ＤＡＴＡ４の入出力を行う信号端子、接片５´はデータ信号ＤＡＴＡ６の入出力を行う信号端子、接片６´はデータ信号ＤＡＴＡ７の入出力を行う信号端子である。
なお、本実施の形態では接片２´、接片７´乃至接片１０´は未使用とされている。
接片５は挿抜検出接片であり、外部装置がメモリカードの挿抜検出のために使用するＩＮＳ信号を供給する信号端子である。本実施の形態では、ＩＮＳ信号がＧＮＤレベルであるときに、メモリカードが装着されていることを示している。
接片７はクロック信号ＳＣＬＫが入力される信号端子であり、前記バスステート信号ＢＳおよびデータ信号ＤＡＴＡ０〜ＤＡＴＡ７はこのクロック信号ＳＣＬＫに同期して通信される。
接片８は電源Ｖｃｃが入力される電源端子である。
接片９はグランドレベルＶＳＳに接続されるグランド端子である。
接片１０、１１は、外部装置から供給されるインターフェース切り換え信号を入力するための端子である。すなわち、コントローラ２４が互いに異なる複数のインターフェースでデータ通信を行える機能を有している場合、外部装置からのインターフェース切り換え信号Ｄ１、Ｄ２を受信することで、データ通信に用いるインターフェースを選択できるように構成されている。インターフェースの切り換えとしては、例えば、データ通信を行う際のビット幅（４ビット幅または８ビット幅）の切り換えなどがあるが、本発明の要旨と直接関わらないため詳細な説明は省略する。
なお、第１のメモリカード１００の接片と信号の組み合わせは、図３（Ａ）に限られるものではない。例えば、図３（Ｂ）に示すように、接片５´、接片６´にＤＡＴＡ６、ＤＡＴＡ７を割り当てる代わりに、接片９´、接片１０´にＤＡＴＡ６、ＤＡＴＡ７を割り当てるようにしてもよい。
【００１２】
次に、第２のメモリカード２００について説明する。
図４は第２のメモリカード２００の斜視図である。
図５は第２のメモリカード２００の平面図である。
図６は第２のメモリカード２００の接片と信号名の対応を示す図である。
図４、図５に示すように、第２のメモリカード２００は、保持体３０と、保持体３０に埋設された不図示の記憶部と、保持体３０に埋設された不図示のコントローラと、このコントローラに接続された複数の接片４２乃至接片４９とを備えている。
保持体３０は、第１のメモリカード１００と同様に、プリント基板と、プリント基板を被覆する合成樹脂により薄板状に形成されている。
保持体３０は、前後長さと、前後長さよりも小さい寸法の左右幅と、左右幅よりも小さい寸法の厚さを有して矩形板状に形成されている。
本実施の形態では、保持体３０は、前後長さが１５ｍｍ、左右幅が１１ｍｍ、厚さが１．０ｍｍの大きさである。すなわち、第２のメモリカード２００の保持体３０は、第１のメモリカード１００の保持体２０の前後長さの寸法が同じで、厚さおよび左右幅の寸法が保持体２０よりも小さい。
前記記憶部と、コントローラと、複数の接片４２乃至接片４９は、前記プリント基板に設けられている。
前記記憶部は、データの書き換えが可能なフラッシュメモリで構成されている。
前記コントローラは、外部装置とのデータ通信および記憶部に対するデータの入出力動作の制御などを司るものである。
コントローラ２４は、第２のメモリカード２００が外部装置に装着された状態でこの外部装置との間で第２のメモリカード２００用のインターフェースに基づいてデータ通信を行う。
【００１３】
図５に示すように、接片４２乃至接片４９は保持体３０の前後長さ方向の一端における表面の箇所に、該保持体３０の左右幅方向に沿って並設されている。詳細には、接片４２乃至接片４９は、表面の前辺３００２に沿って直線状に並設されている。
接片４２乃至接片４９は、第１のメモリカード１００の接片２´乃至接片１０´のピッチと同一のピッチＰ２で配置されている。
【００１４】
複数の複数の接片４２乃至接片４９は、コントローラ２４に対して信号の授受を行う信号端子と、コントローラ２４および記憶部２２に対してグランド電位を供給するためのグランド端子と、コントローラ２４および記憶部２２に対して電源を供給するための電源端子を含んでいる。
図６に示すように、接片４２はデータ信号ＤＡＴ２の入出力を行う信号端子、接片４３はデータ信号ＤＡＴ３の入出力を行う信号端子、接片４８はデータ信号ＤＡＴ０の入出力を行う信号端子、接片４９はデータ信号ＤＡＴ１の入出力を行う信号端子である。
接片４４は、コマンド（ＣＭＤ）の入力端子である。
接片４５は、電源ＶＤＤが入力される電源端子である。
接片４６は、クロック信号ＣＬＫが入力される信号端子であり、データ信号ＤＡＴ０〜ＤＡＴ３はこのクロック信号ＣＬＫに同期して通信される。
接片４７は、グランドレベルＶＳＳに接続されるグランド端子である。
【００１５】
次に、カードトレイ３００について説明する。
図７（Ａ）はカードトレイ３００の平面図、（Ｂ）は（Ａ）のＢ矢視図である。
図８（Ｃ）は図７（Ｂ）のＣ矢視図、（Ｄ）は（Ｃ）のＤ矢視図、（Ｅ）は（Ｃ）のＥ矢視図、（Ｆ）は（Ｃ）のＦ矢視図である。
図９（Ａ）は第２のメモリカード２００にカードトレイ３００を装着する状態を示す斜視図、（Ｂ）は第２のメモリカード２００にカードトレイ３００を装着する状態を上下反転して示す斜視図である。
図１０（Ａ）はカードトレイ３００単体の斜視図、（Ｂ）はカードトレイ３００単体を上下反転して示す斜視図である。
【００１６】
図７乃至図１０に示すように、カードトレイ３００は、本体５０と、装着用凹部５２とを有している。
本体５０は、それぞれ互いに対向する前辺、後辺および左辺、右辺を有して矩形板状に形成され、第１のメモリカード１００の保持体２０と等しい寸法の左右幅を有している。
装着用凹部５２は、本体５０の厚さ方向の一方の面に、第２のメモリカード２００の保持体３００が装着可能に形成されている。
図１１（Ａ）はメモリカード装着体４００の斜視図、（Ｂ）はメモリカード装着体４００を上下反転して示す斜視図である。
図１２（Ａ）は第１のメモリカード１００の斜視図、（Ｂ）はメモリカード装着体４００の斜視図である。
図１１（Ａ）、（Ｂ）、図１２（Ｂ）に示すように、装着用凹部５２に第２のメモリカード２００が装着されることでメモリカード装着体４００が構成される。
図７、図８に示すように、装着用凹部５２は、本体５０の後辺、左辺、右辺に沿って延在する後壁５２０４、左壁５２０６、右壁５２０８と、それら後壁５２０４、左壁５２０６、右壁５２０８で囲まれた底壁５２０２とで本体５０の厚さ方向の一方の面および前辺方向に開放状に形成されている。
後壁５２０４には、底壁５２０２上で左右幅方向に沿って延在し第２のメモリカード２００の前辺３００２が挿入される開口５２０５が形成されている。
図７、図８に示すように、右壁５２０８が装着用凹部５２に臨む内面には、図５に示す第２のメモリカード２００の係合凸部３０１０に係合可能な係合凹部５２１０と、第２のメモリカード２００の係合凹部３０１２に係合可能な係合凸部５２１２が設けられている。なお、本実施の形態では、係合凸部３０１０、係合凹部３０１２によって特許請求の範囲の係合部が構成され、係合凹部５２１０、係合凸部５２１２によって特許請求の範囲の係合部が構成されている。
左壁５２０６が装着用凹部５２に臨む内面は平坦面で形成されている。
【００１７】
図７乃至図９に示すように、本体５０の厚さおよび装着用凹部５２の深さは、第２のメモリカード２００が表面を装着用凹部５２と反対方向に向けて装着用凹部５２に装着された状態で本体５０の厚さ方向の他方の面から第２のメモリカード２００の表面までの高さが、第１のメモリカード１００の厚さと同じ値となる寸法で形成されている。言い換えると、メモリカード装着体４００の厚さは第１のメモリカード１００の厚さと同一の寸法で形成されている。
本体５０の前後長さは、第２のメモリカード２００の前後長さと同一の寸法で形成されている。
本体５０の左右幅は、第２のメモリカード２００の左右幅よりも大きい寸法で形成されている。
装着用凹部５２の前後長さは、第２のメモリカード２００の前辺３００２が開口５２１０に挿入されることから、第２のメモリカード２００の前後長さよりも小さい寸法で形成されている。
装着用凹部５２の左右幅は、第２のメモリカード２００の左右幅とほぼ同一の寸法で形成されている。
したがって、第２のメモリカード２００が装着用凹部５２に装着されると、平面視した場合、第２のメモリカード２００はカードトレイ３００の輪郭内に収容される。
図１３はメモリカード装着体４００に対して第１のメモリカード１００の接片１乃至接片１１および接片２´乃至接片１０´の輪郭を重ね合わせた説明図である。
図１４は図１３における第１のメモリカード１００の接片２´乃至接片１０´と第２のメモリカード２００の接片４２乃至接片４９の対応関係を示す説明図である。
前後左右の辺を合致させて第１のメモリカード１００とメモリカード装着体４００とを重ね合わせ平面視すると、図１３に示すように、第１のメモリカード１００の接片３´乃至接片１０´と第２のメモリカード２００の接片４２乃至接片４９は、前後方向において重複した部分を有し、かつ、左右方向において重複した部分を有するように構成されている。
すなわち、図１４に示すように、第２のメモリカード２００の接片４２´乃至接片４９に割り当てられている各信号ＤＡＴ２、ＤＡＴ３、ＣＭＤ、ＶＤＤ、ＣＬＫ、ＶＳＳ、ＤＡＴ０、ＤＡＴ１が、第１のメモリカード１００の接片３´乃至接片１０´のそれぞれに対応することになる。
【００１８】
本実施の形態では、前後左右の辺を合致させて第１のメモリカード１００とカードトレイ３００とを重ね合わせ平面視すると、第１のメモリカード１００の輪郭とカードトレイ３００の輪郭は合致するように形成されている。
より詳細に説明すると、右壁５２０８の外面の後寄り箇所には凹部５２１４が形成されている。
左壁５２０６の外面の前後方向の中間箇所には前後に間隔をおいて凹部５２１６が形成されている。
右壁５２０８の凹部５２１４と左壁５２０６の２つの凹部５２１６は、カードトレイ３００の前後左右の辺を第１のメモリカード１００の前後左右の辺に合致させて重ね合わせ、平面視すると、第１のメモリカード１００の凹部２０１０と２つの凹部２０１２に合致する。より詳細には、カードトレイ３００の凹部５２１４、凹部５２１６は、第１のメモリカード１００の凹部２０１０、凹部２０１２と同一の箇所で同一の形状で形成されている。
なお、左壁５２０６の外面の前端および右壁５２０８の外面の前端は、カードスロットに挿入されやすいように湾曲面５２１８で形成されている。
【００１９】
次に、カードトレイ３００の使用方法について説明する。
第２のメモリカード２００をカードトレイ３００に装着してメモリカード装着体４００を構成する際には、第２のメモリカード２００の裏面をカードトレイ３００の装着用凹部５２に臨ませ、第２のメモリカード２００の前辺３００２を開口５２１０に挿入し、第２のメモリカード２００の裏面をカードトレイ３００の装着用凹部５２の表面に重ね合わせる。
この状態で、係合凸部３０１０と係合凹部５２１０とが係合され、係合凹部３０１２と係合凸部５２１２が係合される。
また、第２のメモリカード２００をカードトレイ３００から取り外す際には、カードトレイ３００の装着用凹部５２の表面に重ね合わされている第２のメモリカード２００の後辺を持ち上げ、係合凸部３０１０と係合凹部５２１０との係合と、係合凹部３０１２と係合凸部５２１２との係合を解除し、第２のメモリカード２００をカードトレイ３００の前方斜め上方に向けて移動させ、前辺３００２を開口５２１０から引き出す。
【００２０】
次に、第１のメモリカード１００およびメモリカード装着体４００が装着される外部装置について説明する。
前記外部装置は、第１のメモリカード１００およびメモリカード装着体４００が挿入可能なカードスロットと、そのカードスロットに装着された第１のメモリカード１００およびメモリカード装着体４００に対してデータの書き込みおよび／または読み出しを行う制御部とを有している。
前記カードスロットは、第１のメモリカード１００が装着された際に、接片１乃至接片１１と接片２´乃至接片１０´のそれぞれに直接電気的に接続される端子を有している。
したがって、メモリカード装着体４００を前記カードスロットに装着すると、接片３´乃至接片１０´に対応する各端子が接片４２乃至接片４９に電気的に接続され、メモリカード装着体４００、すなわち、第２のメモリカード２００に対するデータの書き込みおよび／または読み出しを行うことが可能となる。
【００２１】
本実施の形態によれば、メモリカード装着体４００を第１のメモリカード１００用のカードスロットに挿入すると、カードスロットの端子が第２のメモリカード２００の接片４２乃至接片４９に直接電気的に接続される。
したがって、カードトレイ３００は、従来のカードアダプタと違って、第２のメモリカード２００の接片４２乃至接片４９に電気的に接続される第１のアダプタ側接片と、カードスロットの端子に電気的に接続される第２のアダプタ側接片と、これら第１のアダプタ側接片と第２のアダプタ側接片を電気的に接続する導通部材とを必要としないため、カードトレイ３００の外形寸法を、小型化された第１のメモリカード１００の外形寸法に合致させることが簡単にでき、第２のメモリカード２００をカードトレイ３００に装着することで第１のメモリカード１００用のカードスロットに装着して使用することができる。
【００２２】
なお、外部装置の制御部において、第１のメモリカード１００と第２のメモリカード２００の何れがカードスロットに装着されたかを識別する場合には、例えば、図１５（Ａ）、（Ｂ）に示すように、カードトレイ３００の本体５０の裏面に、互いに電気的に接続されたグランド（ＶＳＳ）接片５４Ａと、ＩＮＳ信号接片５４Ｂとを設ければよい。
この場合には、カードスロットに、カードトレイ３００が挿入された状態で、グランド（ＶＳＳ）接片５４Ａに接続するグランド端子（外部装置のグランドレベルに接続されている）と、ＩＮＳ信号接片５４Ｂに接続されるＩＮＳ端子とを設ける。
そして、前記制御部がＩＮＳ端子の信号がグランドレベルであるか否かを監視、検出することで、カードトレイ３００の挿入の有無を簡単に検出することができる。
【００２３】
また、外部装置の制御部において、第１のメモリカード１００と第２のメモリカード２００の何れがカードスロットに装着されたかを識別するために、カードトレイ３００の本体５０の左壁５２０６あるいは右壁５２０８に、既に形成されている凹部５２１４、５２１６とは別の識別用凹部を形成しておき、カードスロットに前記識別用凹部の有無を検出する検出用スイッチを設け、この検出用スイッチの動作に基づいてカードスロットに第１のメモリカード１００が挿入されたか、メモリカード装着体４００が挿入されたかを識別するようにしてもよい。すなわち、カードトレイ３００にメモリカード装着体４００であることを識別するための識別用凹部が形成されていてもよい。
この場合にも、前記制御部が検出用スイッチの動作を監視、検出することで、カードトレイ３００の挿入の有無を簡単に検出することができる。
【００２４】
なお、実施の形態では、前後左右の辺を合致させて第１のメモリカード１００とカードトレイ３００とを重ね合わせ平面視すると、第１のメモリカード１００の輪郭とカードトレイ３００の輪郭は合致するように形成されている場合について説明したが、カードトレイ３００の本体５０のうち、後方に臨む部分に、装着用凹部５２に第２のメモリカード２００が装着された状態で第２のメモリカード２００に係合して第２のメモリカード２００が装着用凹部５２から脱落することを防止する脱落防止機構を設けてもよい。
その場合には、前後左右の辺を合致させて第１のメモリカード１００とカードトレイ３００とを重ね合わせ平面視すると、前記脱落防止機構が第１のメモリカード１００の輪郭の外側に突出することになるが、メモリカード装着体４００をカードスロットに装着した状態で前記脱落防止機構はカードスロットの外側に位置するため、メモリカード装着体４００をカードスロットに装着する上で支障を来たすことはない。
また、脱落防止を図るために第２のメモリカード２００とカードトレイ３００とを両面粘着テープなどで接着固定してもよいことは無論である。
【００２５】
また、実施の形態では、前後左右の辺を合致させて第１のメモリカード１００とカードトレイ３００とを重ね合わせ平面視すると、第１のメモリカード１００の輪郭とカードトレイ３００の輪郭は合致するように形成されている場合について説明したが、カードトレイ３００の本体５０のうち、左壁５２０６と右壁５２０８の前方にこれら左壁５２０６と右壁５２０８の前端を接続する補強壁を設けてもよい。
その場合には、前後左右の辺を合致させて第１のメモリカード１００とカードトレイ３００とを重ね合わせ平面視すると、前記補強壁が第１のメモリカード１００の輪郭の外側に突出することになり、メモリカード装着体４００をカードスロットに装着した状態で前記補強壁のスペース分だけ、第２のメモリカード２００の接片４２乃至接片４９の位置がカードスロットの端子に対して後方にずれることになるが、第２のメモリカード２００の接片４２乃至接片４９は前後方向に沿って延在しているため、第２のメモリカード２００の接片４２乃至接片４９とカードスロットの端子との電気的接続を確保することは可能である。
【００２６】
また、本実施の形態では、第２のメモリカード２００の保持体３０は、第１のメモリカード１００の保持体２０の前後長さの寸法が同じで、厚さおよび左右幅の寸法が保持体２０よりも小さい場合について説明したが、本発明のカードトレイ３００は、第２のメモリカード２００の保持体３０の前後長さの寸法が第１のメモリカード１００の保持体２０の前後長さの寸法よりも小さい場合であっても無論適用可能である。
また、本実施の形態では、第１のメモリカード１００の保持体２０の前後長さと左右幅の積である投影面積に対する第２のメモリカード２００の保持体３０の前後長さと左右幅の積である投影面積の比率は、前記投影面積の比率はカードトレイ３００の７０％以上９５％以下となっている。
【００２７】
また、本実施の形態では、第２のメモリカード２００がカードトレイ３００の装着用凹部５２に装着された状態で、カードトレイ３００の装着用凹部５２の後壁５２０４に第２のメモリカード２００の前辺が位置し、装着用凹部５２の前辺の開放部分に第２のメモリカード２００の後辺が位置する場合について説明したが、第２メモリカード２００の前後方向を反対にして装着用凹部５２に装着する構成としてもよい。
その場合には、図１６（Ａ）、（Ｂ）に示すように、第２のメモリカード２００がカードトレイ３００の装着用凹部５２に装着された状態で、カードトレイ３００の装着用凹部５２の後壁５２０４に第２のメモリカード２００の後辺が位置し、装着用凹部５２の前辺の開放部分に第２のメモリカード２００の前辺が位置する。
このような構成においても上述した実施の形態の効果が奏されることは無論である。
【００２８】
なお、実施の形態では、第１のメモリカード１００がメモリスティックとインターフェースにまつわる仕様がほぼ同等であるが外形寸法が小型化されたメモリカードであり、第２のメモリカード２００がＴｒａｎｓＦｌａｓｈである場合について説明したが、第１、第２のメモリカード１００、２００の形式はこれらに限定されるものではない。
また、実施の形態では、第１、第２のメモリカード１００、２００の記憶部としてデータの書き換えが可能なフラッシュメモリを用いた場合について説明したが、本発明はこれに限定されるものではなく、記憶部はデータの書き込みおよび／または読み出しが行われるものであればよい。
【図面の簡単な説明】
【００２９】
【図１】第１のメモリカード１００の斜視図である。
【図２】（Ａ）は第１のメモリカード１００の平面図、（Ｂ）は第１のメモリカード１００の断面図である。
【図３】（Ａ）は第１のメモリカード１００の接片と信号名の対応を示す図である。
【図４】第２のメモリカード２００の斜視図である。
【図５】第２のメモリカード２００の平面図である。
【図６】第２のメモリカード２００の接片と信号名の対応を示す図である。
【図７】（Ａ）はカードトレイ３００の平面図、（Ｂ）は（Ａ）のＢ矢視図である。
【図８】（Ｃ）は図７（Ｂ）のＣ矢視図、（Ｄ）は（Ｃ）のＤ矢視図、（Ｅ）は（Ｃ）のＥ矢視図、（Ｆ）は（Ｃ）のＦ矢視図である。
【図９】（Ａ）は第２のメモリカード２００にカードトレイ３００を装着する状態を示す斜視図、（Ｂ）は第２のメモリカード２００にカードトレイ３００を装着する状態を上下反転して示す斜視図である。
【図１０】（Ａ）はカードトレイ３００単体の斜視図、（Ｂ）はカードトレイ３００単体を上下反転して示す斜視図である。
【図１１】（Ａ）はメモリカード装着体４００の斜視図、（Ｂ）はメモリカード装着体４００を上下反転して示す斜視図である。
【図１２】（Ａ）は第１のメモリカード１００の斜視図、（Ｂ）はメモリカード装着体４００の斜視図である。
【図１３】メモリカード装着体４００に対して第１のメモリカード１００の接片１乃至接片１１および接片２´乃至接片１０´の輪郭を重ね合わせた説明図である。
【図１４】図１３における第１のメモリカード１００の接片２´乃至接片１０´と第２のメモリカード２００の接片４２乃至接片４９の対応関係を示す説明図である。
【図１５】（Ａ）、（Ｂ）はカードトレイ３００の変形例を示す斜視図である。
【図１６】（Ａ）、（Ｂ）はカードトレイ３００に対する第２のメモリカード２００の装着方向の変形例を示す説明図である。
【符号の説明】
【００３０】
２０……保持体、２２……記憶部、１〜１１、２´〜１０´……接片、３０……保持体、４２〜４９……接片、５０……本体、５２……装着用凹部、１００……第１のメモリカード、２００……第２のメモリカード、３００……カードトレイ。
【図１】
2007034612.tif 000003
【図２】
2007034612.tif 000004
【図３】
2007034612.tif 000005
【図４】
2007034612.tif 000006
【図５】
2007034612.tif 000007
【図６】
2007034612.tif 000008
【図７】
2007034612.tif 000009
【図８】
2007034612.tif 000010
【図９】
2007034612.tif 000011
【図１０】
2007034612.tif 000012
【図１１】
2007034612.tif 000013
【図１２】
2007034612.tif 000014
【図１３】
2007034612.tif 000015
【図１４】
2007034612.tif 000016
【図１５】
2007034612.tif 000017
【図１６】
2007034612.tif 000018